(57)【要約】【課題】消しゴムの亀裂や破断が発生しにくい消しゴムケース及び消しゴムを提供する。【解決手段】正面部１３１、背面部１３２、底面部１３３及び平面部１３４の４つの面部分を有し、消しゴム（本体）１２０に装着されて先端側の開口部１３５から当該消しゴム（本体）の先端部１２０ａを突出させる角筒状の消しゴムケース１３０において、前記正面部１３１は、上辺１３１ａと下辺１３１ｂとが平行な直線で、正面部先端上側角又は正面部先端下側角のどちらか一方を角度６０〜８７度の鋭角とし、かつ、前記背面部１３２は、上辺１３２ａと下辺１３２ｂとが平行な直線で、前記正面部先端上側角が鋭角の場合は背面部先端下側角を、前記正面部先端下側角が鋭角の場合は背面部先端上側角を角度６０〜８７度の鋭角とする。【選択図】図１
2020203403.tif 000002
【特許請求の範囲】
【請求項１】
少なくとも先端側に開口部があり、正面部と、前記正面部に対向する背面部と、正面部の下辺及び背面部の下辺に連接する底面部と、前記底面部に対向し正面部の上辺及び背面部の上辺に連接する平面部とを有し、前記正面部と前記背面部との距離が前記底面部と前記平面部との距離以下の角筒状を呈し、
消しゴムに装着されてその一部を覆うと共に、当該消しゴムの先端部を前記開口部から突出させ、
前記正面部は、上辺と下辺とが平行な直線で、上辺の先端と下辺の先端を結ぶ直線が上辺と交わる正面部先端上側角又は上辺の先端と下辺の先端を結ぶ直線が下辺と交わる正面部先端下側角のどちらか一方が角度６０度以上８７度以下の鋭角であり、
かつ、前記背面部は、上辺と下辺とが平行な直線で、前記正面部先端上側角が鋭角の場合は、上辺の先端と下辺の先端を結ぶ直線が下辺と交わる背面部先端下側角が角度６０度以上８７度以下の鋭角であり、前記正面部先端下側角が鋭角の場合は、上辺の先端と下辺の先端を結ぶ直線が上辺と交わる背面部先端上側角が角度６０度以上８７度以下の鋭角であることを特徴とする消しゴムケース。
【請求項２】
前記正面部先端上側角が鋭角の場合は、正面部の上辺の先端が背面部の上辺の先端より先端側に位置して、かつ、背面部の下辺の先端が正面部の下辺の先端より先端側に位置し、
前記正面部先端下側角が鋭角の場合は、正面部の下辺の先端が背面部の下辺の先端より先端側に位置して、かつ、背面部の上辺の先端が正面部の上辺の先端より先端側に位置することを特徴とする請求項１に記載の消しゴムケース。
【請求項３】
正面部の先端側の辺、正面部の後端側の辺、背面部の先端側の辺及び背面部の後端側の辺がいずれも直線で、前記正面部及び前記背面部が略台形状である、請求項１又は２に記載の消しゴムケース。
【請求項４】
正面部の後端側の辺は正面部の上辺及び下辺と垂直に交わる直線で、背面部の後端側の辺は背面部の上辺及び下辺と垂直に交わる直線であり、
前記正面部の後端側の辺と前記背面部の後端側の辺は、長さが等しく、前記正面部及び前記背面部に直交する同一平面上にある、請求項１〜３のいずれかに記載の消しゴムケース。
【請求項５】
正面部の上辺、正面部の下辺、背面部の上辺及び背面部の下辺の長さが全て等しく、後端側にも開口部を有し、当該後端側の開口部から消しゴム後端部を突出させる、請求項１〜３のいずれかに記載の消しゴムケース。
【請求項６】
前記正面部と前記背面部が同一形状である、請求項１〜５のいずれかに記載の消しゴムケース。
【請求項７】
請求項１〜６のいずれかに記載の消しゴムケースの先端側の開口部の角部に、略Ｕ字状の切り欠きを設けたことを特徴とする消しゴムケース。
【請求項８】
請求項１〜７のいずれかに記載の消しゴムケースを装着した消しゴム。
【発明の詳細な説明】
【技術分野】
【０００１】
本発明は、消しゴムケース、及び消しゴムケースを装着した消しゴムに関する。
【背景技術】
【０００２】
従来、消しゴム（字消し）の種類や形状は様々であるが、筆記具による筆跡を消去することを主目的としたいわゆる事務学習用の消しゴムは、直方体状を呈したものが主流となっている。そして、それらの消しゴムの多くは、図２０に示すような長方形筒状のケース（消しゴムケース）を装着して消しゴム先端部を当該ケースから突出させた状態で使用されている。
この消しゴムケースにおいては、筆跡を消去する動作を繰り返すことにより、ケース先端の直線部や角部が消しゴムに擦れたり食い込んだりして消しゴムに傷がつき、場合によっては、そこから消しゴムに亀裂が入って破断するといった問題が発生することがある。
【０００３】
この問題に対処するため、特許文献１及び特許文献２では、ケース先端の四隅（四角部）に「切り目」や「略Ｕ字状切り欠き部」を設けた消しゴムケースが提案されている。特許文献３には、ケース端部（先端）に円弧上に張り出した張出部が設けられ、かつ、前記張出部は消しゴム表面に沿っており、消しゴムと共に弾性変形が可能であることを特徴とする消しゴムケースが開示されている。
【先行技術文献】
【特許文献】
【０００４】
【特許文献１】特開平１０−１５７３９４号公報
【特許文献２】実開昭６１−２５１９６号公報
【特許文献３】登録実用新案第３１９３８８２号公報
【発明の概要】
【発明が解決しようとする課題】
【０００５】
特許文献１及び特許文献２に記載の消しゴムケースは、主にケース先端の角部において一定の効果は得られるものの、問題を完全に解決するには至っていない。
特許文献３に記載の消しゴムケースは、前記張出部を把持して使用することを前提としており、それ以外の自由な把持方法で使う場合には課題が残る。また、この消しゴムケースでは使用時（消字作業中）に消しゴムの弾性変形に追従して前記張出部が弾性変形するが、弾性変形を繰り返すことで張出部に疲労が発生して塑性変形に至る惧れがある。さらに、前記張出部がケース端部から張り出しているため、例えば、この消しゴムケースを装着した消しゴムをペンケースに入れて持ち運んだときなどに、張出部がペンケース内のペンなどに引っかかって折れ曲がる（塑性変形する）可能性がある。張出部が塑性変形すると張出部を設けた効果が低減するばかりでなく、張出部が消しゴム表面に沿わずに広がって美観が損なわれる。
【０００６】
本発明は、上記の現状に鑑み、特定の把持方法に限定されることなく、ケース端部から張り出した部分を設けなくても、ケース先端の直線部や角部における消しゴムの亀裂や破断が発生しにくい消しゴムケース及び消しゴムを提供することを目的とする。
【課題を解決するための手段】
【０００７】
上記課題を解決するために、本発明は以下のものを提供する。
【０００８】
（１）少なくとも先端側に開口部があり、正面部と、前記正面部に対向する背面部と、正面部の下辺及び背面部の下辺に連接する底面部と、前記底面部に対向し正面部の上辺及び背面部の上辺に連接する平面部とを有し、前記正面部と前記背面部との距離が前記底面部と前記平面部との距離以下の角筒状を呈し、消しゴムに装着されてその一部を覆うと共に、当該消しゴムの先端部を前記開口部から突出させ、前記正面部は、上辺と下辺とが平行な直線で、上辺の先端と下辺の先端を結ぶ直線が上辺と交わる正面部先端上側角又は上辺の先端と下辺の先端を結ぶ直線が下辺と交わる正面部先端下側角のどちらか一方が角度６０度以上８７度以下の鋭角であり、かつ、前記背面部は、上辺と下辺とが平行な直線で、前記正面部先端上側角が鋭角の場合は、上辺の先端と下辺の先端を結ぶ直線が下辺と交わる背面部先端下側角の角度が６０度以上８７度以下の鋭角であり、前記正面部先端下側角が鋭角の場合は、上辺の先端と下辺の先端を結ぶ直線が上辺と交わる背面部先端上側角が角度６０度以上８７度以下の鋭角であることを特徴とする消しゴムケース。
【０００９】
（２）前記（１）項において、前記正面部先端上側角が鋭角の場合は、正面部の上辺の先端が背面部の上辺の先端より先端側に位置して、かつ、背面部の下辺の先端が正面部の下辺の先端より先端側に位置し、前記正面部先端下側角が鋭角の場合は、正面部の下辺の先端が背面部の下辺の先端より先端側に位置して、かつ、背面部の上辺の先端が正面部の上辺の先端より先端側に位置することが好ましい。
【００１０】
（３）前記（１）項又は（２）項において、正面部の先端側の辺、正面部の後端側の辺、背面部の先端側の辺及び背面部の後端側の辺がいずれも直線で、前記正面部及び前記背面部が略台形状であってもよい。
【００１１】
（４）前記（１）項〜（３）項のいずれかにおいて、正面部の後端側の辺は正面部の上辺及び下辺と垂直に交わる直線で、背面部の後端側の辺は背面部の上辺及び下辺と垂直に交わる直線であり、前記正面部の後端側の辺と前記背面部の後端側の辺は、長さが等しく、前記正面部及び前記背面部に直交する同一平面上にあってもよい。
【００１２】
（５）前記（１）項〜（３）項のいずれかにおいて、正面部の上辺、正面部の下辺、背面部の上辺及び背面部の下辺の長さが全て等しく、後端側にも開口部を有し、当該後端側の開口部から消しゴム後端部を突出させるようにしてもよい。
【００１３】
（６）前記（１）項〜（５）項において、前記正面部と前記背面部が同一形状であってもよい。
【００１４】
（７）前記（１）項〜（６）項のいずれかに記載の消しゴムケースの先端側の開口部の角部に、略Ｕ字状の切り欠きを設けてもよい。
【００１５】
（８）また、本発明は、前記（１）項〜（７）項のいずれかに記載の消しゴムケースを装着した消しゴムを提供する。
【発明の効果】
【００１６】
本発明によれば、特定の把持方法に限定されることなく、ケース端部から張り出した部分を設けなくても、ケース先端の直線部や角部における消しゴムの亀裂や破断が発生しにくい消しゴムケース及び消しゴムを提供できる。
【図面の簡単な説明】
【００１７】
【図１】本発明の第１実施例を示し、（ａ）は斜視図、（ｂ）は（ａ）の反対方向から見た斜視図である。
【図２】図１の消しゴムの六面図であり、（ａ）は平面図、（ｂ）は左側面図、（ｃ）は正面図、（ｄ）は右側面図、（ｅ）は底面図、（ｆ）は背面図である。
【図３】（ａ）は図２（ｃ）におけるＹ−Ｙ線矢視断面図、（ｂ）は図２（ｃ）におけるＺ−Ｚ線矢視断面図である。
【図４】図1の消しゴムの消しゴムケースのみの六面図であり、（ａ）は平面図、（ｂ）は左側面図、（ｃ）は正面図、（ｄ）は右側面図、（ｅ）は底面図、（ｆ）は背面図である。
【図５】図４の消しゴムケースの展開図である。
【図６】本発明の第２実施例を示し、（ａ）は斜視図、（ｂ）は消しゴムケースのみの正面図である。
【図７】図６（ａ）の消しゴムの六面図であり、（ａ）は平面図、（ｂ）は左側面図、（ｃ）は正面図、（ｄ）は右側面図、（ｅ）は底面図、（ｆ）は背面図である。
【図８】図６（ｂ）の消しゴムケースの展開図である。
【図９】本発明の第３実施例を示し、（ａ）は斜視図、（ｂ）は（ａ）の反対方向から見た斜視図である。
【図１０】図９（ａ）の消しゴムの六面図であり、（ａ）は平面図、（ｂ）は左側面図、（ｃ）は正面図、（ｄ）は右側面図、（ｅ）は底面図、（ｆ）は背面図である。
【図１１】（ａ）は図１０（ｃ）におけるＹ’−Ｙ’線矢視断面図、（ｂ）は図１０（ｃ）におけるＺ’−Ｚ’線矢視断面図である。
【図１２】図９の消しゴムの消しゴムケースのみの六面図であり、（ａ）は平面図、（ｂ）は左側面図、（ｃ）は正面図、（ｄ）は右側面図、（ｅ）は底面図、（ｆ）は背面図である。
【図１３】図１２の消しゴムケースの展開図である。
【図１４】本発明の第４実施例を示し、（ａ）は斜視図、（ｂ）は消しゴムケースのみの正面図である。
【図１５】図１４（ａ）の消しゴムの六面図であり、（ａ）は平面図、（ｂ）は左側面図、（ｃ）は正面図、（ｄ）は右側面図、（ｅ）は底面図、（ｆ）は背面図である。
【図１６】図１４（ｂ）の消しゴムケースの展開図である。
【図１７】本発明の第５実施例を示し、（ａ）は斜視図、（ｂ）は消しゴムケースのみの正面図である。
【図１８】図１７（ａ）の消しゴムの六面図であり、（ａ）は平面図、（ｂ）は左側面図、（ｃ）は正面図、（ｄ）は右側面図、（ｅ）は底面図、（ｆ）は背面図である。
【図１９】図１７（ｂ）の消しゴムケースの展開図である。
【図２０】従来一般の消しゴムを示す斜視図である。
【図２１】図２０の消しゴムの消しゴムケースの展開図である。
【発明を実施するための形態】
【００１８】
以下、本発明の実施形態について説明する。
本発明の消しゴムケースは、少なくとも先端側に開口部があり、正面部と、前記正面部に対向する背面部と、正面部の下辺及び背面部の下辺に連接する底面部と、前記底面部に対向し正面部の上辺及び背面部の上辺に連接する平面部とを有し、前記正面部と前記背面部との距離が前記底面部と前記平面部との距離以下の角筒状を呈し、消しゴム（本体）に装着されてその一部を覆うと共に、当該消しゴム（本体）の先端部を前記開口部から突出させた消しゴムケースである。
ここで、前記正面部は、上辺と下辺とが平行な直線で、上辺の先端と下辺の先端を結ぶ直線が上辺と交わる正面部先端上側角又は上辺の先端と下辺の先端を結ぶ直線が下辺と交わる正面部先端下側角のどちらか一方が角度６０度以上８７度以下（好ましくは７０度以上８５度以下）の鋭角である。
さらに、前記背面部は、上辺と下辺とが平行な直線で、前記正面部先端上側角が鋭角の場合は、上辺の先端と下辺の先端を結ぶ直線が下辺と交わる背面部先端下側角が、前記正面部先端下側角が鋭角の場合は、上辺の先端と下辺の先端を結ぶ直線が上辺と交わる背面部先端上側角が、角度６０度以上８７度以下（好ましくは７０度以上８５度以下）の鋭角である。
【００１９】
本発明の消しゴムケース（以下、単に「ケース」という。）の材質は、適度な厚さがあって消しゴム本体を保護できるものであれば特に限定されず、板紙、金属板、プラスチックなどを目的に応じて適宜選択できる。
【００２０】
ケースの形成方法も特に限定はされず、材質や形状に合わせて押出成形、射出成形、板金加工などを適宜選択可能であるが、先端側、後端側ともに開口部を有す所謂スリーブ形状のケースの場合、加工の容易性などから、板紙を展開形状に打ち抜いたブランクを折り曲げてのりしろ部分（グルーフラップ）を貼り合わせることにより形成する方法が好適に用いられる。なお、後述する実施形態（実施例）の説明や図面において、のりしろ部分の記載は省略する。
【００２１】
ケースには、本発明の効果を妨げない範囲で種々の加工を施してもよい。例えば、使用により消しゴム本体が小さくなった場合に、ケースの一部を切り取ってケース長さを調整できるよう、ケースにミシン目状の切り取り線を設けてもよい。他にも、例えば、ケース表面に滑り止め用の凹凸を設けてもよい。
【００２２】
また、本発明の消しゴムは、上記本発明の消しゴムケースを装着したことを特徴とする。
【００２３】
本発明において、ケースが装着される消しゴム（本体）の種類は特に限定されず、天然ゴムを加硫して作られるもの（ラバー字消し）、これに硅石粉などの研磨剤を配合してインク消去用としたもの（砂消しゴム）、ポリ塩化ビニルやポリ酢酸ビニル等の基材樹脂に可塑剤、充填剤等を配合して加熱・成形して作られるもの（プラスチック字消し）、ＳＢＲなどの合成ゴムを原料とするものなど、種々のものを用途等に合わせて適宜選択できる。鉛筆やシャープペンシルによる筆跡（文字）の消去用としては、消去性能の高さから、ポリ塩化ビニルを基材樹脂としたプラスチック字消しが好ましく用いられる。また、これらの複数種類を組合せて（つなぎ合わせて）ひとつの消しゴム（本体）としてもよい。さらに、一般にいう消しゴムとは異なるが、本発明では、熱変色性インクによる筆跡を摩擦によって変色（消色）させるエラストマー製等の摩擦体であってもよい。
【００２４】
本発明に用いられる消しゴム（本体）の形状は、ケースを装着した際にケース内壁との間に隙間を生じない直方体状のものが好適であるが、本発明の消しゴムケースを装着できれば特に限定されない。
【００２５】
以下、本発明の具体的な実施例について、図面を参照して詳述する。
【００２６】
（第１実施例）
図１は本発明の第１実施例の消しゴム１００を示し、（ａ）は斜視図、（ｂ）は（ａ）の反対方向から見た斜視図である。図２は消しゴム１００の六面図であり、（ａ）は平面図、（ｂ）は左側面図、（ｃ）は正面図、（ｄ）は右側面図、（ｅ）は底面図、（ｆ）は背面図である。図３（ａ）は図２（ｃ）におけるＹ−Ｙ線矢視断面図、図３（ｂ）は図２（ｃ）におけるＺ−Ｚ線矢視断面図である。図４は消しゴム１００のケース１３０のみの六面図であり、（ａ）は平面図、（ｂ）は左側面図、（ｃ）は正面図、（ｄ）は右側面図、（ｅ）は底面図、（ｆ）は背面図である。図５はケース１３０の展開図である。
【００２７】
図１〜３に示すように、消しゴム１００は、消しゴム本体１２０にケース１３０が装着された消しゴムである。ケース１３０は両端が開口された角筒状であり、その内部の空間に、一端の開口部（先端側開口部１３５）から一部（先端部１２０ａ）を突出するようにして直方体状の消しゴム本体１２０が収納されている。ケース１３０の他端の開口部（後端側開口部１３６）では、消しゴム本体１２０の一面（後端面１２６）が露出しているが、突出はしていない。換言すると、ケース１３０は、消しゴム本体１２０の前記突出した一部（先端部１２０ａ）及び前記露出している一面（後端面１２６）以外の部分の表面を覆っている。
消しゴム１００を使用する際は、ケース１３０部分を把持し、ケース１３０の前記一端の開口部（先端側開口部１３５）から突出した消しゴム本体１２０の一部（先端部１２０ａ）で、消去したい筆跡を擦る。本実施例の消しゴム本体１２０はプラスチック字消しであり、ケース１３０の材質は坪量２３０ｇ／ｍ２程度又は厚さ０．３ｍｍ程度の板紙である。
以下、ケース１３０の消しゴム本体１２０が突出している側を先端側、逆側を後端側、図２（ｃ）における上方向を上側、下方向を下側とし、ケース１３０の外面の８つの頂点をそれぞれ図２及び図５に示すＡ〜Ｈとして説明する。
【００２８】
ケース１３０は、正面部１３１、前記正面部１３１に対向する背面部１３２、底面部１３３、前記底面部１３３に対向する平面部１３４の４つの面部分からなり、前記底面部１３３は正面部の下辺１３１ｂ及び背面部の下辺１３２ｂに連接し、前記平面部１３４は正面部の上辺１３１ａ及び背面部の上辺１３２ａに連接している。図３（ａ）に示すとおり、正面部１３１と背面部１３２の距離は底面部１３３と平面部１３４の距離以下であり、ケース１３０の断面（端面）は矩形を呈している。
第１実施例では、ケース１３０の前記４つの面部分はいずれも四角形状であり、これらを構成する、線分ＡＢ、線分ＢＣ、線分ＣＤ、線分ＡＤ、線分ＥＦ、線分ＦＧ、線分ＧＨ、線分ＥＨ、線分ＡＦ、線分ＤＧ、線分ＢＥ及び線分ＣＨからなる１２本の辺は、いずれも直線である。
【００２９】
正面部１３１（四角形ＡＢＣＤ）は、上辺１３１ａ（線分ＡＤ）と下辺１３１ｂ（線分ＢＣ）が平行な直線であり、上辺の先端Ａ（頂点Ａ）と下辺の先端Ｂ（頂点Ｂ）を結ぶ直線ＡＢ（本実施例では先端側の辺１３１ｃと同義）が上辺１３１ａ（線分ＡＤ）と交わる正面部先端上側角（∠ＤＡＢ）が、角度６０度以上８７度以下（好ましくは７０度以上８５度以下）の鋭角である。
背面部１３２（四角形ＥＦＧＨ）は、上辺１３２ａ（線分ＦＧ）と下辺１３２ｂ（線分ＥＨ）が平行な直線であり、上辺の先端Ｆ（頂点Ｆ）と下辺の先端Ｅ（頂点Ｅ）を結ぶ直線ＥＦ（本実施例では先端側の辺１３２ｃと同義）が下辺１３２ｂ（線分ＥＨ）と交わる背面部先端下側角（∠ＨＥＦ）が、角度６０度以上８７度以下（好ましくは７０度以上８５度以下）の鋭角となっている。
前記正面部先端上側角（∠ＤＡＢ）及び前記背面部先端下側角（∠ＨＥＦ）の角度が８７度より大きいと消しゴム（本体）の亀裂や破断を生じにくくする効果を得られず、６０度未満であると消しゴム本体１２０の表面を覆う面積が小さくなって消しゴム（本体）を保護するケース本来の機能が不十分となる。
【００３０】
第１実施例では、より具体的には、前記正面部先端上側角（∠ＤＡＢ）は角度８３度の鋭角であり、前記背面部先端下側角（∠ＨＥＦ）も前記正面部先端上側角と等しい角度８３度の鋭角である。また、上記のとおり正面部１３１及び背面部１３２はいずれも上辺と下辺が平行であるから、必然的に、正面部の、上辺の先端Ａ（頂点Ａ）と下辺の先端Ｂ（頂点Ｂ）を結ぶ直線ＡＢ（先端側の辺１３１ｃ）が下辺１３１ｂ（線分ＢＣ）と交わる正面部先端下側角（∠ＣＢＡ）は角度９７度の鈍角で、同様に、背面部の、上辺の先端Ｆ（頂点Ｆ）と下辺の先端Ｅ（頂点Ｅ）を結ぶ直線ＥＦ（先端側の辺１３２ｃ）が上辺１３２ａ（線分ＦＧ）と交わる背面部先端上側角（∠ＧＦＥ）も角度９７度の鈍角となる。
さらにこの場合、本実施例のように、正面部の上辺の先端Ａ（鋭角ＤＡＢの頂点）が、背面部の上辺の先端Ｆ（鈍角ＧＦＥの頂点）よりも先端側に位置し、かつ、背面部の下辺の先端Ｅ（鋭角ＨＥＦの頂点）が正面部の下辺の先端Ｂ（鈍角ＣＢＡの頂点）より先端側に位置することが好ましい。
【００３１】
以上のような構成とすることで、ケースの先端側の辺（直線）部や角部における消しゴムの亀裂や破断が発生しにくくなる。この効果が発現する理由としては、次のように推測される。
一般に、消しゴムを使用するときは、消しゴム本体先端部分を消去したい筆跡等に押し付けながら繰り返し往復させて摩擦する。この消去動作に合わせて消しゴム本体は繰り返し撓る（弾性変形する）が、図２０に示す従来一般の消しゴム７００では、ケース７３０（図２０及び図２１参照）は消しゴム本体７２０と比べほとんど変形しない。その結果、ケース先端側の直線部や角部との接触、撓りに伴う曲げモーメント等による消しゴム本体７２０への負荷が、ケース先端側の直線部や角部付近の同一箇所に集中して繰り返しかかり、それらが消しゴム（本体）の傷、引いては亀裂や破断の発生原因になると考えられる。
本実施例の消しゴム１００においても、ケース１３０は消しゴム本体１２０と比べ、消去動作での弾性変形は小さい。しかし、本実施例の構成によれば、ケース１３０の正面部の先端側の辺１３１ｃとこれに対向する背面部の先端側の辺１３２ｃの正面視における傾きが逆向きとなることで（図４（ｃ）参照）、消去動作時のケース１３０先端側の辺（直線）部や角部において消しゴム本体１２０にかかる前記負荷が、従来一般の消しゴム７００の場合と比べて一箇所に集中しにくくなり、消しゴムの亀裂や破断が発生しにくくなるものと推測される。
なお、第１実施例では、底面部の先端側の辺１３３ｃと平面部の先端側の辺１３４ｃの関係も上記の正面部の先端側の辺１３１ｃと背面部の先端側の辺１３２ｃの関係と同様（すなわち、底面部の∠ＨＥＢ及び平面部の∠ＤＡＦがともに角度６０度以上８７度以下の鋭角で、底面部の先端側の辺１３３ｃと平面部の先端側の辺１３４ｃは図４（ａ）の平面視において傾きが逆向き）になっているので、より効果が発揮されやすいと考えられる。
【００３２】
また、本実施例のケース１３０にはケース先端から張り出した部分は存在せず、従来一般の消しゴム７００と同様の把持方法で使用できる。
【００３３】
第１実施例のケース１３０は、前述のとおり、正面部の先端側の辺１３１ｃ（線分ＡＢ）、正面部の後端側の辺１３１ｄ（線分ＣＤ）、背面部の先端側の辺１３２ｃ（線分ＥＦ）及び背面部の後端側の辺１３２ｄ（線分ＧＨ）がいずれも直線なので、正面部１３１（四角形ＡＢＣＤ）及び背面部１３２（四角形ＥＦＧＨ）は台形状である。
【００３４】
さらに、本実施例のケース１３０は、前記正面部の後端側の辺１３１ｄ（線分ＣＤ）は正面部の上辺１３１ａ（線分ＡＤ）及び下辺１３１ｂ（線分ＢＣ）と垂直に交わる直線で、前記背面部の後端側の辺１３２ｄ（線分ＧＨ）は背面部の上辺１３２ａ（線分ＦＧ）及び下辺１３２ｂ（線分ＥＨ）と垂直に交わる直線であり（したがって、正面部１３１（四角形ＡＢＣＤ）及び背面部１３２（四角形ＥＦＧＨ）は、∠ＡＤＣ、∠ＢＣＤ、∠ＥＨＧ及び∠ＦＧＨが全て直角の直角台形状であり）、前記正面部の後端側の辺１３１ｄ（線分ＣＤ）と前記背面部の後端側の辺１３２ｄ（線分ＧＨ）は、長さが等しく、前記正面部１３１及び前記背面部１３２に直交する同一平面（四角形ＣＤＧＨ）上にある。
【００３５】
これにより、ケースの後端側開口部１３６（四角形ＣＤＧＨ上の開口面）は、正面部１３１、背面部１３２、底面部１３３及び平面部１３４のいずれにも直交する面となり、ケース１３０を直方体状の消しゴム本体１２０に、ケースの後端側開口部１３６から当該消しゴム本体１２０を突出させることなく、かつ、ケース１３０の内部に余計な空間を残すこともなく、装着することができる。すなわち、本実施例のケース１３０は、直方体状の消しゴム（本体）用のケースとして好適な形状となっている。
【００３６】
そして、第１実施例では、図５の展開図に示されるように、正面部１３１（四角形ＡＢＣＤ）と背面部１３２（四角形ＥＦＧＨ）とは同一形状である。さらに第１実施例では、底面部１３３（四角形ＢＥＨＣ）と平面部１３４（四角形ＦＡＤＧ）とは同一形状である。
このような構成とすると、使用に際し、消しゴム１００を同じ側の手で（つまり、先端側‐後端側の向きは変えずに）、正面部１３１を手前側にして把持したときと背面部１３２を手前側にして把持したときとが同じ形になるので、使い勝手が良い。
【００３７】
（第２実施例）
図６（a）は、本発明の第２実施例の消しゴム２００を示す斜視図であり、図６（ｂ）は消しゴム２００のケース２３０のみの正面図である。図７は消しゴム２００の六面図であり、（ａ）は平面図、（ｂ）は左側面図、（ｃ）は正面図、（ｄ）は右側面図、（ｅ）は底面図、（ｆ）は背面図である。図８は、ケース２３０の展開図である。第２実施例の説明においては、ケース２３０の外面の８つの頂点をそれぞれ図７及び図８に示すＩ〜Ｐとして説明する。
【００３８】
図６〜図８から明らかなように、第２実施例の消しゴム２００は第１実施例の消しゴム１００の鏡像となる構成である。具体的には、消しゴム本体２２０は、第１実施例（消しゴム１００）の消しゴム本体１２０と同一の直方体状である。ケース２３０は、正面部２３１（四角形ＩＪＫＬ）は、上辺２３１ａ（線分ＩＬ）と下辺２３１ｂ（線分ＪＫ）が平行な直線であり、上辺の先端Ｉ（頂点Ｉ）と下辺の先端Ｊ（頂点Ｊ）を結ぶ直線ＩＪ（本実施例では先端側の辺２３１ｃと同義）が下辺２３１ｂ（線分ＪＫ）と交わる正面部先端下側角（∠ＫＪＩ）が角度６０度以上８７度以下（好ましくは７０度以上８５度以下）の鋭角である。背面部２３２（四角形ＭＮＯＰ）は、上辺２３２ａ（線分ＮＯ）と下辺２３２ｂ（線分ＭＰ）とが平行な直線であり、上辺の先端Ｎ（頂点Ｎ）と下辺の先端Ｍ（頂点Ｍ）を結ぶ直線ＮＭ（本実施例では先端側の辺２３２ｃと同義）が上辺２３２ａ（線分ＮＯ）と交わる背面部先端上側角（∠ＯＮＭ）が角度６０度以上８７度以下（好ましくは７０度以上８５度以下）の鋭角である。
【００３９】
より具体的には、前記正面部先端下側角（∠ＫＪＩ）は角度８３度の鋭角であり、前記背面部先端上側角（∠ＯＮＭ）は、前記正面部先端下側角と等しい角度８３度の鋭角である。（したがって、正面部先端上側角（∠ＬＩＪ）及び背面部先端下側角（∠ＰＭＮ）は角度９７度の鈍角である。）
さらにこの場合、本実施例のように、ケース２３０の正面部の下辺の先端Ｊ（鋭角ＫＪＩの頂点）が、背面部の下辺の先端Ｍ（鈍角ＰＭＮの頂点）よりも先端側に位置し、かつ、背面部の上辺の先端Ｎ（鋭角ＯＮＭの頂点）が正面部の上辺の先端Ｉ（鈍角ＬＩＪの頂点）より先端側に位置することが好ましい。
【００４０】
このような構成にすることで、第１実施例と同様に、ケース先端の辺（直線）部や角部における消しゴムの亀裂や破断が発生しにくくなる。なお、上記のとおり第２実施例は第１実施例の鏡像の構成であるであるから、第２実施例においても前記正面部２３１及び前記背面部２３２は直角台形状で、両者は同一形状となっており、第１実施例におけるその他の効果も第１実施例と同様に奏する。
【００４１】
（第３実施例）
図９は本発明の第３実施例の消しゴム３００を示し、（ａ）は斜視図、（ｂ）は（ａ）の反対方向から見た斜視図である。図１０は、消しゴム３００の六面図であり、（ａ）は平面図、（ｂ）は左側面図、（ｃ）は正面図、（ｄ）は右側面図、（ｅ）は底面図、（ｆ）は背面図である。図１１（ａ）は図１０（ｃ）におけるＹ’−Ｙ’線矢視断面図、図１１（ｂ）は図１０（ｃ）におけるＺ’−Ｚ’線矢視断面図である。図１２は、消しゴム３００のケース３３０のみの六面図であり、（ａ）は平面図、（ｂ）は左側面図、（ｃ）は正面図、（ｄ）は右側面図、（ｅ）は底面図、（ｆ）は背面図である。図１３は、ケース３３０の展開図である。第３実施例の説明においては、ケース３３０の外面の８つの頂点をそれぞれ図１０及び図１３に示すＱ〜Ｘとして説明する。
第３実施例の消しゴム３００も、消しゴム本体３２０に、両端が開口された角筒状のケース３３０が装着されている。しかし、第１実施例、第２実施例と異なり、第３実施例では、ケース３３０の先端側開口部３３５から消しゴム本体の先端部３２０ａを突出するとともに、後端側開口部３３６からも消しゴム本体の後端部３２０ｂが突出し、ケース３３０は消しゴム本体３２０の中央部分のみを覆っている。
【００４２】
第３実施例では、消しゴム本体３２０は、砂消しゴムとラバー字消しの２種類の消しゴムを一体に成形したもので、図１１（ｂ）に示すように真ん中より先端側が砂消しゴム部３２０ｓ、後端側がラバー字消し部３２０ｒとなっている。消しゴム本体３２０の全体形状は、先端面３２５及び後端面３２６のそれぞれ正面側と背面側の辺にアールをつけた略平行六面体状で、先端面３２５及び後端面３２６は正面側の面及び背面側の面に対して垂直でなく傾斜した面となっている。すなわち、第３実施例の消しゴム３００は、ケース先端側開口部３３５から突出させた砂消しゴム、後端側開口部３３６から突出させたラバー字消しのどちらからでも使用が可能な、所謂ツインヘッドタイプの消しゴムである。
【００４３】
ケース３３０は、正面部３３１、前記正面部３３１に対向する背面部３３２、底面部３３３、前記底面部３３３に対向する平面部３３４の４つの四角形部分からなり、前記底面部３３３は正面部の下辺３３１ｂ及び背面部の下辺３３２ｂに連接し、前記平面部３３４は正面部の上辺３３１ａ及び背面部の上辺３３２ａに連接している。図１１（ａ）に示すとおり、前記正面部３３１と前記背面部３３２の距離は、前記底面部３３３と前記平面部３３４の距離以下であり、ケース３３０の断面（端面）は矩形を呈している。
正面部の上辺３３１ａ（線分ＱＴ）、正面部の下辺３３１ｂ（線分ＲＳ）、背面部の上辺３３２ａ（線分ＶＷ）及び背面部の下辺３３２ｂ（線分ＵＸ）は全て平行な直線で、かつ、長さが等しい。また、正面部の先端側の辺３３１ｃ（線分ＱＲ）、正面部の後端側の辺３３１ｄ（線分ＳＴ）、背面部の先端側の辺３３２ｃ（線分ＵＶ）、背面部の後端側の辺３３２ｄ（線分ＷＸ）はいずれも直線である。よって、正面部３３１（四角形ＱＲＳＴ）及び背面部３３２（四角形ＵＶＷＸ）はいずれも平行四辺形状である。
【００４４】
第３実施例のケース３３０において、正面部の上辺の先端Ｑ（頂点Ｑ）と下辺の先端Ｒ（頂点Ｒ）を結ぶ直線ＱＲ（先端側の辺３３１ｃ）が上辺３３１ａ（線分ＱＴ）と交わる正面部先端上側角（∠ＴＱＲ）、及び、上辺の後端Ｔ（頂点Ｔ）と下辺の後端Ｓ（頂点Ｓ）を結ぶ直線ＳＴ（後端側の辺３３１ｄ）と下辺３３１ｂ（線分ＲＳ）とが交わる正面部後端下側角（∠ＲＳＴ）は、いずれも角度６０度以上８７度以下（好ましくは７０度以上８５度以下。本実施例ではいずれも８３度。）の鋭角である。
さらに、背面部の下辺の先端Ｕ（頂点Ｕ）と上辺の先端Ｖ（頂点Ｖ）を結ぶ直線ＵＶ（先端側の辺３３２ｃ）が下辺３３２ｂ（線分ＵＸ）と交わる背面部先端下側角（∠ＸＵＶ）、及び、下辺の後端Ｘ（頂点Ｘ）と上辺の後端Ｗ（頂点Ｗ）を結ぶ直線ＷＸ（後端側の辺３３２ｄ）が上辺３３２ａ（線分ＶＷ）と交わる背面部後端上側角（∠ＶＷＸ）は、いずれも角度が６０度以上８７度以下（好ましくは７０度以上８５度以下。本実施例ではいずれも８３度。）の鋭角である。
【００４５】
加えて、本実施例では、前記正面部の上辺の先端Ｑ（鋭角ＴＱＲの頂点）が、前記背面部の上辺の先端Ｖ（鈍角ＷＶＵの頂点）よりも先端側に位置し、かつ、前記背面部の下辺の先端Ｕ（鋭角ＸＵＶの頂点）が前記正面部の下辺の先端Ｒ（鈍角ＳＲＱの頂点）より先端側に位置している。また、前記正面部の下辺の後端Ｓ（鋭角ＲＳＴの頂点）が前記背面部の下辺の後端Ｘ（鈍角ＵＸＷの頂点）より後端側に位置し、前記背面部の上辺の後端Ｗ（鋭角ＶＷＸの頂点）が前記正面部の上辺の後端Ｔ（鈍角ＱＴＳの頂点）より後端側に位置している。
【００４６】
以上のような構成とすることで、本実施例の消しゴム３００においては、ケース３３０の先端側開口部３３５から突出させた砂消しゴムを使用する際には、ケース先端側の辺（直線）部や角部における消しゴム（砂消しゴム）の亀裂や破断が発生しにくく、後端側開口部３３６から突出させたラバー字消しを使用する際にも、ケース後端側の辺（直線）部や角部における消しゴム（ラバー字消し）の亀裂や破断が発生しにくくなる。つまり、第３実施例のケース３３０は、ケース先端側開口部３３５及びケース後端側開口部３３６の両方からそれぞれ消しゴム本体３２０の一部を突出させた、ツインヘッドタイプの消しゴム用のケースとして好適である。
【００４７】
また、図１３の展開図から明らかなように、第３実施例においても、正面部３３１（四角形ＱＲＳＴ）と背面部３３２（四角形ＵＶＷＸ）は同一形状であり、底面部３３３（四角形ＲＵＸＳ）と平面部３３４（四角形ＶＱＴＷ）は同一形状となっている。このため、使用に際し、消しゴム３００を同じ側の手で、正面部３３１を手前側にして把持したときと背面部３３２を手前側にして把持したときとでケース３３０が使用者から見て同じ形になるので、使い勝手が良い。
【００４８】
（第４実施例）
図１４（ａ）は本発明の第４実施例の消しゴム４００を示す斜視図であり、図１４（ｂ）は消しゴム４００のケース４３０のみの正面図である。図１５は、消しゴム４００の六面図であり、（ａ）は平面図、（ｂ）は左側面図、（ｃ）は正面図、（ｄ）は右側面図、（ｅ）は底面図、（ｆ）は背面図である。図１６は、ケース４３０の展開図である。第４実施例では、ケース４３０の外面の８つの頂点をそれぞれ図１５及び図１６に示すＡ’〜Ｈ’として説明する。
第４実施例の消しゴム４００は、ケース４３０の正面部の先端側の辺４３１ｃ、背面部の先端側の辺４３２ｃ、底面部の先端側の辺４３３ｃ及び平面部の先端側の辺４３４ｃが、第１実施例のケース１３０ような直線でなく緩やかな曲線（曲線Ａ’Ｂ’、曲線Ｅ’Ｆ’、曲線Ｂ’Ｅ’及び曲線Ａ’Ｆ’）であり、正面部及び背面部の後端側の辺４３１ｄ、４３２ｄには中央部分に一対の湾曲部４３８が設けられている。それ以外の構成は、第１実施例の消しゴム１００と同じである。
【００４９】
したがって、本実施例のケース４３０においても、正面部は、上辺４３１ａと下辺４３１ｂは平行な直線で、上辺の先端Ａ’（頂点Ａ’）と下辺の先端Ｂ’（頂点Ｂ’）を結ぶ直線Ａ’Ｂ’（図１５（ｃ）に示す補助線ｙ）が上辺４３１ａ（線分Ａ’Ｄ’）と交わる正面部先端上側角（∠Ｄ’Ａ’Ｂ’）が角度６０度以上８７度以下（好ましくは７０度以上８５度以下。本実施例では８３度。）の鋭角であり、背面部は、上辺４３２ａと下辺４３２ｂが平行な直線で、上辺の先端Ｆ’（頂点Ｆ’）と下辺の先端Ｅ’（頂点Ｅ’）を結ぶ直線Ｅ’Ｆ’（図１５（ｆ）に示す補助線ｙ’）が下辺４３２ｂと交わる背面部先端下側角（∠Ｈ’Ｅ’Ｆ’）が角度６０度以上８７度以下（好ましくは７０度以上８５度以下。本実施例では８３度。）の鋭角である。
【００５０】
第４実施例では、前記正面部の先端側の辺４３１ｃと前記背面部の先端側の辺４３２ｃが円弧状（曲線Ａ’Ｂ’、曲線Ｅ’Ｆ’）になっていることが特徴である。このように正面部及び背面部の先端側の辺を曲線としても、第１実施例と同様にケース先端側の辺（曲線）部や角部における消しゴムの亀裂や破断を発生しにくくする効果を奏するが、ケース４３０の先端が張り出すとその部分が折れ曲がりやすくなるため、前記正面部及び背面部の先端側の辺４３１ｃ、４３２ｃは、それぞれの面部における先端側の鋭角の頂点（本実施例では頂点Ａ’及び頂点Ｅ’）より先端側に張り出さないことが好ましい。本実施例では、図１６の展開図に示すとおり、正面部の先端側の辺４３１ｃと平面部の先端側の辺４３４ｃは、正面部の上辺の先端Ａ’を頂点としたひと続きの曲線（曲線Ｂ’Ａ’Ｆ’）となっており、正面部の先端側の辺４３１ｃは、正面部４３１における先端側の鋭角（∠Ｄ’Ａ’Ｂ’）の頂点Ａ’より先端側には張り出していない。同様に、背面部の先端側の辺４３２ｃと底面部の先端側の辺４３３ｃは、背面部の下辺の先端Ｅ’を頂点としたひと続きの曲線（曲線Ｆ’Ｅ’Ｂ’）となっており、背面部の先端側の辺４３２ｃは、背面部４３２における先端側の鋭角（∠Ｈ’Ｅ’Ｆ’）の頂点Ｅ’より先端側には張り出していない。
【００５１】
また、第４実施例のケース４３０において、正面部及び背面部の後端側の辺４３１ｄ、４３２ｄ上の一対の湾曲部４３８は、消しゴム本体の先端部４２０ａが使用による摩耗で短くなった際に、ケース４３０の後端側から消しゴム本体４２０を先端方向へ押し出しやすくするために設けたものであり、このような加工がされていても、ケース先端側の辺部や角部における消しゴムの亀裂や破断を発生しにくくするという本発明の効果は妨げられない。
【００５２】
（第５実施例）
図１７（ａ）は本発明の第５実施例の消しゴム５００を示す斜視図であり、図１７（ｂ）は消しゴム５００のケース５３０のみの正面図である。図１８は消しゴム５００の六面図で、（ａ）は平面図、（ｂ）は左側面図、（ｃ）は正面図、（ｄ）は右側面図、（ｅ）は底面図、（ｆ）は背面図である。図１９は、ケース５３０の展開図である。第５実施例の説明では、ケース５３０の外面の８つの頂点の符号の記載は省略する。
【００５３】
第５実施例の消しゴム５００は、第１実施例（消しゴム１００）のケース先端側開口部１３５の４つの角部（頂点Ａ、Ｂ、Ｅ、Ｆ）に略Ｕ字状の切り欠きを設けた構成、すなわち、ケース５３０の先端側開口部５３５の４つの角部それぞれに略Ｕ字状の切り欠き５３７を有す構成であり、それ以外の部分は第１実施例の消しゴム１００と全く同じである。
前記略Ｕ字状の切り欠き５３７を設けることにより、ケース先端の直線部や角部における消しゴムの亀裂や破断が、さらに発生しにくくなる。
【００５４】
以上、代表的な５つの実施例を示しながら本発明の実施形態を説明したが、本発明はこれらの実施形態に限定されるものではない。例えば、上記第１実施例（消しゴム１００）の消しゴムケース１３０は、両端に開口部（先端側開口部１３５、後端側開口部１３６）を有する所謂スリーブ形状で、後端側開口部１３６から消しゴム本体１２０の後端面１２６が露出しているが、後端側に開口部を設けず、消しゴム本体１２０の後端面１２６を覆う後面部を有す形状であってもよい。
【産業上の利用可能性】
【００５５】
本発明に係る消しゴムケース及び消しゴムは、筆記具による筆跡を消去することを主目的としたいわゆる事務学習用の消しゴム（字消し）において特に好適に利用可能であるが、これに限らず、消しゴム全般、更には、熱変色性インクの筆跡を変色（消色）するための摩擦具等にも広く利用され得る。
【符号の説明】
【００５６】
１００  消しゴム
１２０  消しゴム本体
１２０ａ  先端部
１２５  先端面
１２６  後端面
１３０  ケース（消しゴムケース）
１３１  正面部
１３１ａ  正面部の上辺
１３１ｂ  正面部の下辺
１３１ｃ  正面部の先端側の辺
１３１ｄ  正面部の後端側の辺
Ａ  正面部の上辺の先端（頂点）
Ｂ  正面部の下辺の先端（頂点）
Ｃ  正面部の下辺の後端（頂点）
Ｄ  正面部の上辺の後端（頂点）
１３２  背面部
１３２ａ  背面部の上辺
１３２ｂ  背面部の下辺
１３２ｃ  背面部の先端側の辺
１３２ｄ  背面部の後端側の辺
Ｅ  背面部の下辺の先端（頂点）
Ｆ  背面部の上辺の先端（頂点）
Ｇ  背面部の上辺の後端（頂点）
Ｈ  背面部の下辺の後端（頂点）
１３３  底面部
１３３ｃ  底面部の先端側の辺
１３４  平面部
１３４ｃ  平面部の先端側の辺
１３５  先端側開口部
１３６  後端側開口部
２００  消しゴム
２２０  消しゴム本体
２２０ａ  先端部
２２５  先端面
２２６  後端面
２３０  ケース（消しゴムケース）
２３１  正面部
２３１ａ  正面部の上辺
２３１ｂ  正面部の下辺
２３１ｃ  正面部の先端側の辺
２３１ｄ  正面部の後端側の辺
Ｉ  正面部の上辺の先端（頂点）
Ｊ  正面部の下辺の先端（頂点）
Ｋ  正面部の下辺の後端（頂点）
Ｌ  正面部の上辺の後端（頂点）
２３２  背面部
２３２ａ  背面部の上辺
２３２ｂ  背面部の下辺
２３２ｃ  背面部の先端側の辺
２３２ｄ  背面部の後端側の辺
Ｍ  背面部の下辺の先端（頂点）
Ｎ  背面部の上辺の先端（頂点）
Ｏ  背面部の上辺の後端（頂点）
Ｐ  背面部の下辺の後端（頂点）
２３３  底面部
２３３ｃ  底面部の先端側の辺
２３４  平面部
２３４ｃ  平面部の先端側の辺
２３５  先端側開口部
３００  消しゴム
３２０  消しゴム本体
３２０ａ  先端部
３２０ｂ  後端部
３２０ｒ  ラバー字消し部
３２０ｓ  砂消しゴム部
３２５  先端面
３２６  後端面
３３０  ケース（消しゴムケース）
３３１  正面部
３３１ａ  正面部の上辺
３３１ｂ  正面部の下辺
３３１ｃ  正面部の先端側の辺
３３１ｄ  正面部の後端側の辺
Ｑ  正面部の上辺の先端（頂点）
Ｒ  正面部の下辺の先端（頂点）
Ｓ  正面部の下辺の後端（頂点）
Ｔ  正面部の上辺の後端（頂点）
３３２  背面部
３３２ａ  背面部の上辺
３３２ｂ  背面部の下辺
３３２ｃ  背面部の先端側の辺
３３２ｄ  背面部の後端側の辺
Ｕ  背面部の下辺の先端（頂点）
Ｖ  背面部の上辺の先端（頂点）
Ｗ  背面部の上辺の後端（頂点）
Ｘ  背面部の下辺の後端（頂点）
３３３  底面部
３３３ｃ  底面部の先端側の辺
３３４  平面部
３３４ｃ  平面部の先端側の辺
３３５  先端側開口部
３３６  後端側開口部
４００  消しゴム
４２０  消しゴム本体
４２０ａ  先端部
４２５  先端面
４２６  後端面
４３０  ケース（消しゴムケース）
４３１  正面部
４３１ａ  正面部の上辺
４３１ｂ  正面部の下辺
４３１ｃ  正面部の先端側の辺
４３１ｄ  正面部の後端側の辺
Ａ’  正面部の上辺の先端（頂点）
Ｂ’  正面部の下辺の先端（頂点）
Ｃ’  正面部の下辺の後端（頂点）
Ｄ’  正面部の上辺の後端（頂点）
４３２  背面部
４３２ａ  背面部の上辺
４３２ｂ  背面部の下辺
４３２ｃ  背面部の先端側の辺
４３２ｄ  背面部の後端側の辺
Ｅ’  背面部の下辺の先端（頂点）
Ｆ’  背面部の上辺の先端（頂点）
Ｇ’  背面部の上辺の後端（頂点）
Ｈ’  背面部の下辺の後端（頂点）
４３３  底面部
４３３ｃ  底面部の先端側の辺
４３４  平面部
４３４ｃ  平面部の先端側の辺
４３５  先端側開口部
４３８  湾曲部
５００  消しゴム
５２０  消しゴム本体
５２０ａ  先端部
５２５  先端面
５２６  後端面
５３０  ケース（消しゴムケース）
５３１  正面部
５３１ａ  正面部の上辺
５３１ｂ  正面部の下辺
５３１ｃ  正面部の先端側の辺
５３１ｄ  正面部の後端側の辺
５３２  背面部
５３２ａ  背面部の上辺
５３２ｂ  背面部の下辺
５３２ｃ  背面部の先端側の辺
５３２ｄ  背面部の後端側の辺
５３３  底面部
５３３ｃ  底面部の先端側の辺
５３４  平面部
５３４ｃ  平面部の先端側の辺
５３５  先端側開口部
５３７  略Ｕ字状の切り欠き
７００  消しゴム
７２０  消しゴム本体
７２０ａ  先端部
７３０  ケース（消しゴムケース）
７３１  正面部
７３２  背面部
７３３  底面部
７３４  平面部
【図１】
2020203403.tif 000003
【図２】
2020203403.tif 000004
【図３】
2020203403.tif 000005
【図４】
2020203403.tif 000006
【図５】
2020203403.tif 000007
【図６】
2020203403.tif 000008
【図７】
2020203403.tif 000009
【図８】
2020203403.tif 000010
【図９】
2020203403.tif 000011
【図１０】
2020203403.tif 000012
【図１１】
2020203403.tif 000013
【図１２】
2020203403.tif 000014
【図１３】
2020203403.tif 000015
【図１４】
2020203403.tif 000016
【図１５】
2020203403.tif 000017
【図１６】
2020203403.tif 000018
【図１７】
2020203403.tif 000019
【図１８】
2020203403.tif 000020
【図１９】
2020203403.tif 000021
【図２０】
2020203403.tif 000022
【図２１】
2020203403.tif 000023